(57)【要約】【課題】本発明は、通信処理部により処理された電気信号の変化に基づいて所定の物理量を検出することで筐体外に露出したアンテナ露出部の長さを推定すると共に、推定されたアンテナ露出部の長さに応じて所定の機能を制御することが可能な通信機器を提供することを目的とする。【解決手段】携帯電話機１は、アンテナ露出部９７の長さを変えることができるアンテナ部９０と、アンテナ部９０からの電気信号に対して所定の処理をする通信処理部２００と、通信処理部２００により処理された電気信号の変化に基づいてアンテナ露出部９７の長さに起因する物理量としての利得を検出可能な検出部２１０と、検出部２１０により検出された利得に基づいてアンテナ露出部９７の長さを推定する推定部２２０と、推定部２２０により推定されたアンテナ露出部９７の長さに応じて所定の機能を制御する機能制御部２３０と、を備える。【選択図】図７
2009159545.tif 000002
【特許請求の範囲】
【請求項１】
１又は複数の機能を有する通信機器であって、
伸縮可能なアンテナ部と、
前記アンテナ部からの電気信号に対して所定の処理をする通信処理部と、
前記通信処理部により処理された前記電気信号の変化に基づいて前記アンテナ部の伸縮状態に起因する物理量を検出可能な検出部と、
前記検出部により検出された前記物理量に基づいて前記アンテナ部の伸縮状態を推定する推定部と、
前記推定部により推定された前記アンテナ部の伸縮状態に応じて前記１又は複数の機能における所定の機能を制御する機能制御部と、を備える通信機器。
【請求項２】
前記物理量は、前記アンテナ部における利得である請求項１に記載の通信機器。
【請求項３】
前記検出部は、所定の周期で前記物理量を検出する請求項１又は２に記載の通信機器。
【請求項４】
前記検出部は、前記アンテナ部が所定の伸縮状態における前記物理量を基準として差分量を検出し、
前記推定部は、前記差分量に基づいて前記アンテナ部の伸縮状態を推定する請求項１から３のいずれかに記載の通信機器。
【請求項５】
前記検出部は、前記アンテナ部が最も短い状態における前記物理量を基準として前記差分量を検出する請求項４に記載の通信機器。
【請求項６】
前記検出部は、前記物理量における単位時間当たりの変化量を検出し、
前記推定部は、前記検出部により検出された前記変化量が所定閾値以下である場合、前記アンテナ部の伸縮状態が変化していないと推定する請求項１から５のいずれかに記載の通信機器。
【請求項７】
前記検出部は、前記物理量における単位時間当たりの変化量を検出し、
前記機能制御部は、前記検出部により検出された単位時間当たりの変化量に応じて、前記１又は複数の機能から前記所定の機能を選択する請求項１から６のいずれかに記載の通信機器。
【請求項８】
前記アンテナ部は、伸縮状態が最も短い状態において所定のグランド部と電気的に導通されている請求項１から７のいずれかに記載の通信機器。
【請求項９】
前記所定の機能は、地上デジタル放送の受信制御をする機能である請求項１から８のいずれかに記載の通信機器。
【請求項１０】
前記受信制御とは、地上デジタル放送の受信開始及び／又は受信終了を行うことである請求項９に記載の通信機器。
【請求項１１】
前記所定の機能は、該通信機器における電源をオン及び／又はオフする機能である請求項１から８のいずれかに記載の通信機器。
【請求項１２】
１又は複数の機能を有する通信機器であり伸縮可能なアンテナ部を備える通信機器における所定の機能を制御する機能制御方法であって、
前記アンテナ部からの電気信号に対し所定の処理をするステップと、
前記処理された前記電気信号の変化に基づいて前記アンテナ部の伸縮状態に起因する物理量を検出するステップと、
前記検出された前記物理量に基づいて前記アンテナ部の伸縮状態を推定するステップと、
前記推定された前記アンテナ部の伸縮状態に応じて前記１又は複数の機能における所定の機能を制御するステップと、を含む機能制御方法。
【発明の詳細な説明】
【技術分野】
【０００１】
本発明は、携帯電話機等の通信機器及び、通信機器における所定の機能を制御する機能制御方法に関する。
【背景技術】
【０００２】
近年、通信機器としての携帯電話機において、多機能化が進んでいる。携帯電話機は、様々な機能を有するようになってきている。
ここで、携帯電話機における小型化が進むなか、各機能を制御するための入力部の数には制限があった。
【０００３】
これに対し、アンテナを用いる機能について、アンテナを引き伸ばす等の動作を該機能を起動させるためのトリガーとして用いた携帯電話機が提案されている（例えば、特許文献１参照）。
【特許文献１】特開２００３−１２４８３５号公報
【発明の開示】
【発明が解決しようとする課題】
【０００４】
しかし、特許文献１の携帯電話機は、アンテナの引き伸ばす等の動作を検出するために、ボール、エンコーダ部やこれらを固定するリブ等の機構を備える必要がある。
このため、特許文献１の携帯電話機における構成を採用する場合には、小型化が困難であるという問題があった。
【０００５】
本発明は、通信処理部により処理された電気信号の変化に基づいて所定の物理量を検出することでアンテナ部の伸縮状態を推定すると共に、推定されたアンテナ部の伸縮状態に応じて所定の機能を制御することが可能な通信機器を提供することを目的とする。
【課題を解決するための手段】
【０００６】
本発明は、１又は複数の機能を有する通信機器であって、伸縮可能なアンテナ部と、前記アンテナ部からの電気信号に対して所定の処理をする通信処理部と、前記通信処理部により処理された前記電気信号の変化に基づいて前記アンテナ部の伸縮状態に起因する物理量を検出可能な検出部と、前記検出部により検出された前記物理量に基づいて前記アンテナ部の伸縮状態を推定する推定部と、前記推定部により推定された前記アンテナ部の伸縮状態に応じて前記１又は複数の機能における所定の機能を制御する機能制御部と、を備える通信機器に関する。
【０００７】
また、前記物理量は、前記アンテナ部における利得であることが好ましい。
【０００８】
また、前記検出部は、所定の周期で前記物理量を検出することが好ましい。
【０００９】
また、前記検出部は、前記アンテナ部が所定の伸縮状態における前記物理量を基準として差分量を検出し、前記推定部は、前記差分量に基づいて前記アンテナ部の伸縮状態を推定することが好ましい。
【００１０】
また、前記検出部は、前記アンテナ部が最も短い状態における前記物理量を基準として前記差分量を検出することが好ましい。
【００１１】
また、前記検出部は、前記物理量における単位時間当たりの変化量を検出し、前記推定部は、前記検出部により検出された前記変化量が所定閾値以下である場合、前記アンテナ部の伸縮状態が変化していないと推定することが好ましい。
【００１２】
また、前記検出部は、前記物理量における単位時間当たりの変化量を検出し、前記機能制御部は、前記検出部により検出された単位時間当たりの変化量に応じて、前記１又は複数の機能から前記所定の機能を選択することが好ましい。
【００１３】
また、前記アンテナ部は、伸縮状態が最も短い状態において所定のグランド部と電気的に導通されていることが好ましい。
【００１４】
また、前記所定の機能は、地上デジタル放送の受信制御をする機能であることが好ましい。
【００１５】
また、前記受信制御とは、地上デジタル放送の受信開始及び／又は受信終了を行うことであることが好ましい。
【００１６】
また、前記所定の機能は、該通信機器における電源をオン及び／又はオフする機能であることが好ましい。
【００１７】
本発明は、１又は複数の機能を有する通信機器であり伸縮可能なアンテナ部を備える通信機器における所定の機能を制御する機能制御方法であって、前記アンテナ部からの電気信号に対し所定の処理をするステップと、前記処理された前記電気信号の変化に基づいて前記アンテナ部の伸縮状態に起因する物理量を検出するステップと、前記検出された前記物理量に基づいて前記アンテナ部の伸縮状態を推定するステップと、前記推定された前記アンテナ部の伸縮状態に応じて前記１又は複数の機能における所定の機能を制御するステップと、を含む機能制御方法に関する。
【発明の効果】
【００１８】
本発明によれば、通信処理部により処理された電気信号の変化に基づいて所定の物理量を検出することでアンテナ部の伸縮状態を推定すると共に、推定されたアンテナ部の伸縮状態に応じて所定の機能を制御することが可能な通信機器を提供することができる。
【発明を実施するための最良の形態】
【００１９】
以下、図面を参照して本発明を実施するための最良の形態を説明する。
図１により、通信機器としての携帯電話機１における基本構造を説明する。図１は、携帯電話機１を開いた状態における外観斜視図を示す。
【００２０】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００２１】
操作部側筐体２の外面は、フロントケース２ａとリアケース２ｂとにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００２２】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２３】
音声入力部１２は、操作部側筐体２の長手方向における連結部４側と反対の外端部側に配置される。つまり、音声入力部１２は、携帯電話機１が開状態において一方の外端部側に配置される。
【００２４】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２５】
表示部側筐体３は、外面がフロントパネル３ａと、フロントケース３ｂ（図３参照）と、リアケース３ｃ（図３参照）と、リアパネル３ｄとにより構成される。表示部側筐体３におけるフロントケース３ｂには、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００２６】
携帯電話機１は、複数の機能を有する。携帯電話機１は、地上デジタル放送受信制御をする機能や、ＡＭラジオ放送受信制御をする機能や、ＦＭラジオ放送受信制御をする機能や、メイン電源制御機能（オン／オフ制御機能）機能等を有する。
【００２７】
次いで、図２から図９に示した図を用いて、操作部側筐体２及び表示部側筐体３の内部構造について説明する。図２は、操作部側筐体２に内蔵される部材の分解斜視図である。図３は、表示部側筐体３に内蔵される部材の分解斜視図である。図４は、アンテナ部９０が操作部側筐体２内に収容配置されてアンテナ露出部９７が最も短い状態（伸縮状態の最も縮んだ状態）を説明する図である。図５は、アンテナ部９０が操作部側筐体２外に引き出されている状態を説明する図である。図６は、アンテナ部９０が操作部側筐体２側に引き出されてアンテナ露出部９７が最も長い状態（伸縮状態で最も伸びた状態）を説明する図である。図７は、携帯電話機１における回路構成の一部を説明するブロック図である。図８は、アンテナ部９０を操作部側筐体２内に収容配置された状態から引き出した場合における時間−利得グラフである。図９は、ハンドオーバーによる所定時間における利得の変化と、ユーザにより操作部側筐体２内から引き出された場合での所定時間における利得の変化とを比較する時間−利得グラフである。
【００２８】
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、地上デジタル放送を受信するためのアンテナ部９０と、バッテリリッド２ｃを備えたリアケース２ｂと、バッテリ８０とを備える。
【００２９】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、回路基板７０と、が挟まれるようにして内蔵される。
【００３０】
フロントケース２ａには、携帯電話機１を折り畳んだ状態で表示部側筐体３の表示部２１と対向する内側面に、開口部としてのキー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００３１】
キー構造部４０は、操作部材４０Ａと、補強部材としてのキーフレーム４０Ｂと、シート部材としてのキーシート４０Ｃと、により構成される。
【００３２】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００３３】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３４】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００３５】
キー基板５０は、キーシート４０Ｃ側に配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００３６】
キー基板５０がケース体６０における平板部６１に載置されるので、操作部材４０Ａそれぞれが押圧されることによる圧力や撓みは、ケース体６０の下方に配置される回路基板７０に伝達されにくい。
【００３７】
ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００３８】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００３９】
回路基板７０には、アンテナ部９０が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００４０】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００４１】
アンテナ部９０は、操作部側筐体２内に配置される一端側の内端部９１と、操作部側筐体２外に配置される他端側の外端部９２と、内端部９１と外端部９２とをつなぐように形成される棒状部９３と、を備える。アンテナ部９０は、操作部側筐体２内に配置されるアンテナ収容部９５内に移動可能に収容される。
【００４２】
具体的には、図４から図６において示されるように、アンテナ部９０は、外端部９２側が操作部側筐体２の外部に露出するよう引き出し可能に構成される。言い換えると、アンテナ部９０における操作部側筐体２外に露出する部分であるアンテナ露出部９７の長さを変えることができるように構成される。
【００４３】
図４に示すように、アンテナ部９０は、棒状部９３が操作部側筐体２を構成するリアケース２ｂ（図２参照）に形成される挿通孔８５に挿通された状態で、図４における上下方向に移動可能に配置される。アンテナ部９０は、アンテナ露出部９７の長さが最も短い状態において、内端部９１がアンテナ収容部９５の図４における下端に当接して収容配置される。具体的には、アンテナ部９０は、内端部９１が回路基板７０の基準電位パターン層７５と電気的に接続される第１接点８６に当接された状態で配置される。これにより、アンテナ露出部９７が最も短い状態において、アンテナ部９０は、基準電位パターン層７５と電気的に導通される。
【００４４】
図５に示すように、アンテナ部９０は、アンテナ収容部９５内に収容されていた棒状部９３の一部が操作部側筐体２外に露出するよう引き出し可能に構成される。アンテナ部９０が外方に引き出されることで、内端部９１が第１接点８６から離間すると共に、アンテナ露出部９７の長が長くなる。図４におけるアンテナ露出部９７が最も短い状態を基準（位置Ｋ１）として、アンテナ露出部９７の長さは、ΔＳ１（位置Ｋ１から位置Ｔ）だけ長くなる。
【００４５】
図６に示すように、アンテナ部９０は、図５に示す状態から更に外方に引き出されることで、内端部９１が後述する通信処理部２００（図７参照）と電気的に接続される円筒状の第２接点８７に嵌合するように配置されると共に、アンテナ露出部９７が最も長い状態で配置される。アンテナ部９０は、アンテナ露出部９７が最も長い状態において、内端部９１が第２接点８７に当接して配置される。また、図４におけるアンテナ露出部９７が最も短い状態を基準（位置Ｋ１）として、アンテナ露出部９７の長さは、ΔＳ２（位置Ｋ１から位置Ｔ）だけ長くなる。
【００４６】
ここで、ΔＳ１、ΔＳ２は、後述する検出部２１０（図７参照）で検出される物理量（本実施形態においては、具体的には、物理量はアンテナ部９０が感じる利得である。）を基に、推定部２２０により推定される（図７参照）。そして、推定部２２０により推定されたアンテナ露出部９７の長さ（ΔＳ１、ΔＳ２に対応）に応じて、後述する機能制御部２３０が所定の機能を制御する。詳細は、後述の通りである。
【００４７】
リアケース２ｂの一端側（図２において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２（特にマイク）が収容される。
【００４８】
図３に示すように、表示部側筐体３は、フロントパネル３ａと、音声出力部２２と、フロントケース３ｂと、表示部２１と、表示部２１が接続されたプリント基板と、リアケース３ｃと、リアパネル３ｄと、を備える。
【００４９】
表示部側筐体３は、フロントパネル３ａと、フロントケース３ｂと、表示部２１と、プリント基板と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００５０】
そして、フロントケース３ｂとリアケース３ｃとの間には、表示部２１が接続された不図示のプリント基板が挟まれるようにして内蔵される。プリント基板には、不図示のアンプと接続されるスピーカが接続される。
【００５１】
次に、図７から図９により、携帯電話機１における回路構成の一部及びその動作について説明する。
図７に示すように、携帯電話機１は、アンテナ部９０と、通信処理部２００と、検出部２１０と、ＣＰＵ４５を構成する機能部としての推定部２２０及び機能制御部２３０と、メモリ４４と、表示部２１とを含んで構成される。
【００５２】
アンテナ部９０は、地上デジタル放送としてのいわゆるワンセグ放送の電波を受信する。アンテナ部９０により受信された電波は、電子信号に変換されて通信処理部２００に出力される。
【００５３】
通信処理部２００は、アンテナ部９０からの電気信号（第１電気信号）に対して利得調整等の前処理や復調処理等の後処理を含む所定の処理を行う。通信処理部２００により所定の処理がなされた電気信号（第２電気信号）は、ＣＰＵ４５に出力される。
【００５４】
検出部２１０は、通信処理部２００により処理された電気信号の変化に基づいてアンテナ露出部９７の長さに起因する利得を検出する。具体的には、検出部２１０は、通信処理部２００における利得調整等を含む前処理が行われる前の段階の電気信号の変化を監視することで利得を検出する。また、検出部２１０は、所定の周期でアンテナ部９０における利得を検出する。
【００５５】
検出部２１０は、図４に示すアンテナ露出部９７が最も短い状態における利得と図６に示すアンテナ露出部９７が最も長い状態における利得との差分量ΔＲ（図８参照）を検出可能に構成される。また、検出部２１０は、単位時間当たりの利得の変化量（傾き）を検出することができる（図８参照）。検出部２１０は、図５に示すように、アンテナ部９０を引き出す速度に対応する単位時間当たりの利得の変化量（傾き）を検出することができる。ここで、検出部２１０が検出する単位時間当たりの利得の変化量は、接線の角度αやｔａｎαでも示すことができる。
【００５６】
推定部２２０は、検出部２１０により検出された利得に基づいてアンテナ露出部９７の長さを推定する。また、推定部２２０は、利得の差分量（例えば、図８におけるΔＲ）に基づいて、アンテナ露出部９７の長さを推定する。具体的には、推定部２２０は、アンテナ露出部９７が最も短い状態におけるアンテナ部９０の位置を基準とした場合における利得の差分量に基づいて、アンテナ露出部９７の長さを推定する。
【００５７】
また、推定部２２０は、検出部２１０により検出された利得に基づいてアンテナ露出部９７の長さが変化している状態であることを推定する。具体的には、推定部２２０は、検出部２１０から出力された利得Ｂと、メモリ４４に記憶された０．１ｓｅｃ前に検出された利得の値である利得Ａとを比較して、利得Ｂと利得Ａとが同じである場合、アンテナ露出部９７の長さが変化していないと推定する。なお、今回計測された利得Ａは、メモリ４４に利得Ｂとして記憶される。また、推定部２２０は、検出部２１０から出力された利得Ｂと、メモリ４４に記憶された利得Ａとを比較して、利得Ｂと利得Ａと異なる場合、アンテナ露出部９７の長さが変化していると推定する。
【００５８】
また、推定部２２０は、アンテナ露出部９７が最も短い状態か又はアンテナ露出部９７が最も長い状態かを推定することができる。
【００５９】
また、推定部２２０は、単位時間当たりの利得の変化量が所定閾値以下である場合、アンテナ露出部９７の長さが変化していないと推定することができる。具体的には、図９に示すように、ユーザがアンテナ部９０を引き出した場合における利得線Ｒ１は、該利得線Ｒ１における単位時間当たりの利得の変化量を示す角度α２が、所定閾値としての直線Ｓにおける単位時間当たりの利得の変化量を示す角度α１よりも大きい。この場合、推定部２２０は、アンテナ露出部９７の長さが変化していることを推定する。
【００６０】
また、図９に示すように、ハンドオーバー時における利得の変化を示す利得線Ｒ２は、所定時における単位時間当たりの利得の変化量を示す角度α３が、所定閾値としての直線Ｓにおける単位時間当たりの利得の変化量を示す角度α１よりも小さい。この場合、推定部２２０は、アンテナ露出部９７の長さが変化していないと推定する。つまり、この場合において、後述する機能制御部２３０は所定の機能としての地上デジタル放送受信機能を制御しない。
【００６１】
機能制御部２３０は、推定部２２０により推定されたアンテナ露出部９７の長さに応じて、所定の機能としての地上デジタル放送受信制御をする機能を制御する。地上デジタル放送受信制御を制御する機能とは、地上デジタル放送の受信開始及び／又は受信終了を行う機能である。
【００６２】
機能制御部２３０は、アンテナ部９０が図４に示すアンテナ露出部９７が最も短い状態から図６に示すアンテナ露出部９７が最も長い状態になった場合、地上デジタル放送受信制御をする機能に対して地上デジタル放送の受信を開始させる。また、機能制御部２３０は、アンテナ部９０が図６に示すアンテナ露出部９７が最も長い状態から図４に示すアンテナ露出部９７が最も短い状態になった場合、地上デジタル放送受信制御をする機能に対して地上デジタル放送の受信を終了させる。
【００６３】
機能制御部２３０は、検出部２１０により検出された単位時間当たりの利得の変化量（傾き）に応じて、複数の機能のうち所定の機能を選択すると共に、該選択された所定の機能を制御する。これにより、アンテナ部９０を引き出す速度を調整することで、所望の機能に関するアプリケーションを起動等させることができる。
【００６４】
ここで、機能制御部２３０に制御される所定の機能として、携帯電話機１のメイン電源制御機能を設定することができる。この場合、機能制御部２３０は、アンテナ部９０が図４に示すアンテナ露出部９７が最も短い状態から図６に示すアンテナ露出部９７が最も長い状態になった場合、メイン電源制御機能を制御してメイン電源をオンにさせる。また、機能制御部２３０は、アンテナ部９０が図６に示すアンテナ露出部９７が最も長い状態から図４に示すアンテナ露出部９７が最も短い状態になった場合、メイン電源制御機能を制御してメイン電源をオフにさせる。
【００６５】
メモリ４４には、複数の機能それぞれのための複数のアプリケーションが記憶される。また、メモリ４４には、推定部２２０により所定の利得が基準利得として記憶される。
【００６６】
表示部２１には、機能制御部２３０により地上デジタル放送受信制御をする機能が制御されて地上デジタル放送の受信が開始された場合、受信画像が表示される。また、機能制御部２３０により地上デジタル放送受信制御をする機能が制御されて地上デジタル放送の受信が終了された場合、受信画像の表示が終了される。
【００６７】
続けて、図１０から図１２により、携帯電話機１の作用における第１態様について説明する。
図１０は、携帯電話機１の作用における第１態様を説明するためのフローチャートである。図１１は、アンテナ部９０を引き出した場合における利得の変化を説明する時間―利得グラフである。図１２は、アンテナ部９０を押しもどした場合における利得の変化を説明する時間―利得グラフである。
【００６８】
図１０に示すように、まず、携帯電話機１の電源がオンにされる。
次いで、検出部２１０は、通信処理部２００における電気信号の変化に基づいて、アンテナ露出部９７の長さに起因する利得を検出する（ＳＴ１）。検出された利得情報は、推定部２２０に出力される。
【００６９】
続けて、推定部２２０は、検出部２１０により検出された利得Ａと、メモリ４４に記憶されている第１基準利得Ｂとを比較する（ＳＴ２）。推定部２２０は、アンテナ露出部９７が変化し始めているかを推定する。
【００７０】
第１基準利得Ｂと利得Ａとが同じである場合には（ＳＴ３）、アンテナ露出部９７の長さは変化していないと推定される。周期として１００ｍｓ待った後（ＳＴ４）、再び検出部２１０により利得を検出する。この工程は、アンテナ露出部９７の長さが変化していると推定されるまで繰り返される。なお、この状態は、図１１及び図１２における状態イである。
【００７１】
第１基準利得Ｂと利得Ａとが同じでない場合には（ＳＴ３）、推定部２２０は、アンテナ露出部９７の長さが変化していると推定する。推定部２２０は、検出された利得Ｂを第２基準利得としてメモリ４４に記憶する（ＳＴ５）。つまり、メモリ４４に記憶される利得は、１００ｍｓｅｃごとに更新され続けることになる。
【００７２】
メモリ４４に第２基準として利得Ａを利得Ｂとして記憶し、１００ｍｓ待った後（ＳＴ６）、検出部２１０は、再び利得を検出する（ＳＴ７）。
そして、推定部２２０は、検出部２１０により検出された利得Ｃと、メモリ４４に記憶されている第２基準としての利得Ｂとを比較する（ＳＴ８）。推定部２２０は、アンテナ露出部９７の長さが変化している状態であるかを推定する。
【００７３】
利得Ｂと利得Ｃとが同じでない場合には（ＳＴ９）、推定部２２０は、アンテナ露出部９７の長さが変化している状態であると推定する。そして、（ＳＴ５とＳＴ６との間にもどり）１００ｍｓ待った後、利得を検出する。この工程は、利得Ｂ＝利得Ｃとなり、アンテナ露出部９７の長さが変化していなりと推定されるまで繰り返される。ここで、この状態は、図１１及び図１２における状態ロである。
【００７４】
第２基準としての利得Ｂが利得Ｃと同じである場合には（ＳＴ９）、推定部２２０は、アンテナ露出部９７における長さが変化しなくなったと推定される。
この場合、推定部２２０は、検出部２１０により検出された利得Ｃと、メモリ４４に記憶されている第１基準利得Ａとを比較する（ＳＴ１０）。これは、アンテナ露出部９７における長さの変化が、アンテナ露出部９７が長くなる変化であるか、アンテナ露出部９７が短くなる変化であるかを検出するためである。
【００７５】
第１基準利得Ａ＜利得Ｃである場合には（ＳＴ１１）、推定部２２０は、利得Ａと利得Ｂとの差分量からアンテナ露出部９７が最も長い状態であることを推定すると共に、アンテナ露出部９７が短い状態から長い状態になるようアンテナ部９０が引き出されたことを推定する。
そして、機能制御部２３０は、地上デジタル放送受信制御機能を制御して、地上デジタル放送受信を開始させる（ＳＴ１２）。
【００７６】
また、第１基準利得Ａ＜利得Ｃでない場合には（ＳＴ１１）、推定部２２０は、利得Ａと利得Ｂとの差分量からアンテナ露出部９７が最も短い状態であることを推定すると共に、アンテナ露出部９７が長い状態から短い状態になるよう押しもどされたと推定する。
そして、機能制御部２３０は、地上デジタル放送受信制御機能を制御して、地上デジタル放送受信を終了させる（ＳＴ１３）。
【００７７】
続けて、図１３及び図１４により、携帯電話機１の作用における第２態様について説明する。
図１３は、携帯電話機１の作用における第２態様を説明するためのフローチャートである。図１４は、異なる速度でアンテナ部９０を引き出した場合における利得の変化を説明する時間―利得グラフである。
【００７８】
図１３に示すように、まず、携帯電話機１の電源をオンにする。
次いで、検出部２１０は、通信処理部２００における電気信号の変化に基づいて、単位時間当たりの利得の変化量Ｈを検出する（ＳＴ１００）。検出された利得情報は、推定部２２０に出力される。
【００７９】
単位時間当たりの利得の変化量Ｈ＝０である場合には（ＳＴ１０１）、アンテナ露出部９７の長さは変化していないと推定される。周期として１００ｍｓ待った後（ＳＴ１０２）、再び検出部２１０により利得を検出する。この工程は、アンテナ露出部９７の長さが変化していると推定されるまで繰り返される。
【００８０】
次いで、単位時間当たりの利得の変化量Ｈ＜０である場合には（ＳＴ１０３）、推定部２２０は、アンテナ露出部９７の長さが短くなるように変化していると推定する（ＳＴ１０４）。そして、機能制御部２３０は、起動している所定の機能に関するアプリケーションを終了させる（ＳＴ１０５）。
【００８１】
単位時間当たりの利得の変化量Ｈ＜０である場合には（ＳＴ１０３）、推定部２２０は、検出部２１０により検出された単位時間当たりの利得の変化量Ｈと、メモリ４４に記憶されている基準としての単位時間当たりの変化量（ｍ１、ｍ２）とを比較する
【００８２】
まず、単位時間当たりの利得の変化量Ｈが、０＜Ｈ＜ｍ１である場合には（ＳＴ１０７）、機能制御部２３０は、所定の機能として機能Ａを選択し、機能Ａに関するアプリケーションを起動させる（ＳＴ１０８）。具体的には、利得が図１４における折れ線Ｐ１のように変化する場合、機能制御部２３０は、所定の機能として機能Ａを選択し、機能Ａに関するアプリケーションを起動させる
【００８３】
次いで、単位時間当たりの利得の変化量Ｈが、ｍ１＜Ｈ＜ｍ２である場合には（ＳＴ１０９）、機能制御部２３０は、所定の機能として機能Ｂを選択し、機能Ｂに関するアプリケーションを起動させる（ＳＴ１１０）。具体的には、利得が図１４における折れ線Ｐ２のように変化する場合、機能制御部２３０は、所定の機能として機能Ｂを選択し、機能Ｂに関するアプリケーションを起動させる
【００８４】
続けて、単位時間当たりの利得の変化量Ｈが、ｍ２＜Ｈの場合には（ＳＴ１０９）、機能制御部２３０は、所定の機能として機能Ｃを選択し、機能Ｃに関するアプリケーションを起動させる（ＳＴ１１１）。具体的には、利得が図１４における折れ線Ｐ３のように変化する場合、機能制御部２３０は、所定の機能として機能Ｃを選択し、機能Ｃに関するアプリケーションを起動させる。
【００８５】
本実施形態においては、アンテナ部９０を引き出す速度により、制御する機能を選択することができる。
【００８６】
続けて、図１５により、携帯電話機１の作用における第３態様について説明する。
図１５は、携帯電話機１の作用における第３態様を説明するためのフローチャートである。
図１５に示すように、まず、検出部２１０は、通信処理部２００における電気信号の変化に基づいて、アンテナ露出部９７の長さに起因する利得を検出する（ＳＴ２０１）。検出された利得情報は、推定部２２０に出力される。
【００８７】
続けて、推定部２２０は、検出部２１０により検出された利得Ｂと、メモリ４４に記憶されている第１基準利得Ａとを比較する（ＳＴ２０２）。推定部２２０は、アンテナ露出部９７が変化し始めているかを推定する。
【００８８】
第１基準利得Ａと利得Ｂとが同じである場合には（ＳＴ２０３）、アンテナ露出部９７の長さは変化していないと推定される。周期として１００ｍｓ待った後（ＳＴ２０４）、再び検出部２１０により利得を検出する。この工程は、アンテナ露出部９７の長さが変化していると推定されるまで繰り返される。
【００８９】
第１基準利得Ａと利得Ｂとが同じでない場合には（ＳＴ２０３）、推定部２２０は、アンテナ露出部９７の長さが変化していると推定する。推定部２２０は、検出された利得Ｂを第２基準利得としてメモリ４４に記憶する（ＳＴ２０５）。
【００９０】
メモリ４４に第２基準として利得Ｂを記憶し、１００ｍｓ待った後（ＳＴ２０６）、検出部２１０は、再び利得を検出する（ＳＴ２０７）。
そして、推定部２２０は、検出部２１０により検出された利得Ｃと、メモリ４４に記憶されている第２基準としての利得Ｂとを比較する（ＳＴ２０８）。推定部２２０は、アンテナ露出部９７の長さが変化している状態であるかを推定する。
【００９１】
利得Ｂと利得Ｃとが同じでない場合には（ＳＴ２０９）、推定部２２０は、アンテナ露出部９７の長さが変化している状態であると推定する。そして、（ＳＴ２０５とＳＴ２０６との間にもどり）１００ｍｓ待った後、利得を検出する。この工程は、利得Ｂ＝利得Ｃとなり、アンテナ露出部９７の長さが変化していないと推定されるまで繰り返される。
【００９２】
第２基準としての利得Ｂが利得Ｃと同じである場合には（ＳＴ２０９）、推定部２２０は、アンテナ露出部９７における長さが変化しなくなったと推定される。この場合、推定部２２０は、検出部２１０により検出された利得Ｃと、メモリ４４に記憶されている第１基準利得Ａとを比較する（ＳＴ２１０）。これは、アンテナ露出部９７における長さの変化が、アンテナ露出部９７が長くなる変化であるか、アンテナ露出部９７が短くなる変化であるかを検出するためである。
【００９３】
第１基準利得Ａ＜利得Ｃである場合には（ＳＴ２１１）、推定部２２０は、利得Ａと利得Ｂとの差分量からアンテナ露出部９７が最も長い状態であることを推定すると共に、アンテナ露出部９７が短い状態から長い状態になるよう引き出されたことを推定する。
そして、機能制御部２３０は、メイン電源制御機能を制御して、メイン電源をオンにする。（ＳＴ２１２）。
【００９４】
また、第１基準利得Ａ＜利得Ｃでない場合には（ＳＴ２１１）、推定部２２０は、利得Ａと利得Ｂとの差分量からアンテナ露出部９７が最も短い状態であることを推定すると共に、アンテナ露出部９７が長い状態から短い状態になるよう押しもどされたと推定する。
そして、機能制御部２３０は、メイン電源制御機能を制御して、メイン電源をオフにする（ＳＴ２１３）。
【００９５】
本実施形態によれば、通信処理部により処理された電気信号の変化に基づいて所定の物理量を検出することで筐体外に露出したアンテナ露出部の長さを推定すると共に、推定されたアンテナ露出部の長さに応じて所定の機能を制御することが可能な通信機器を提供することができる。
【００９６】
また、本実施形態によれば、小型化や薄型化が可能であると共に、製造上のコスト負担も生じさせることなく、所定の機能を制御するためのスイッチング手段を有する通信機器を提供することができる。
【００９７】
また、本実施形態によれば、アンテナ露出部９７の長さに起因する物理量として利得を測定しているが、利得の検出は通信処理部を含む通信部で定常的に行われていることなので、別途他の部材や他のソフトを用いることなく、アンテナ露出部９７の長さを把握することができる。
【００９８】
また、本実施形態において、検出部２１０は、所定周期で間欠的に利得を検出するので、消費電流量を抑制することができる。
【００９９】
また、本実施形態において、推定部２２０は、利得の差分量でアンテナ露出部９７の長さを把握するので、検出及び推定の正確性が向上される。
【０１００】
また、本実施形態において、単位時間当たりの利得の変化量に応じて、機能制御部２３０は、制御する所定の機能を選択するよう構成されるので、アンテナ部９０を引き出す速度を調整することで、所望の機能を制御することができる。
【０１０１】
また、本実施形態において、単位時間当たりの利得の変化量が所定閾値以下である場合には、推定部２２０は、アンテナ露出部９７の長さが変化していないと推定するよう構成したので、ハンドオーバーによる利得の変化をアンテナ露出部９７における長さの変化を誤認識することを抑制できる。具体的には、ユーザがアンテナ部９０を外方に引き出す通常の速度よりも明らかに遅い不自然な利得の変化については、アンテナ露出部９７における長さの変化ではないと推定するよう推定部２２０を構成したので、アンテナ露出部９７の長さの推定における正確性が向上される。
【０１０２】
また、本実施形態によれば、アンテナ部９０は、アンテナ露出部９７が最も短い収容状態において第１接点８６を介して基準電位パターン層７５に電気的に接続されるので、上述の差分量や単位時間当たりの利得の変化量が検出しやいというメリットを有する。
【０１０３】
以上、好適な実施形態について説明したが、本発明は上述した実施形態に限定されることなく種々の形態で実施することができる。例えば、本実施形態において、通信機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１０４】
また、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【０１０５】
本実施形態において、アンテナ露出部９７の長さに起因する物理量として利得の説明をしているが、これに限定されず、信号量等のアンテナ部９０で生じるアンテナ長さ（伸縮状態）と相関をもつ物理量であればこれに限定されない。
【０１０６】
また、本実施形態において、１又は複数の機能を有する通信機器としての携帯電話機１であって、操作部側筐体２と、操作部側筐体２内に一端側が配置されると共に他端側が操作部側筐体２外に露出されたアンテナ部９０であって操作部側筐体２外に露出された部分であるアンテナ露出部９７の長さを変えることができるアンテナ部９０と、を備える携帯電話機１における所定の機能を制御する機能制御方法であって、アンテナ部９０からの電気信号に対し所定の処理をするステップと、処理された電気信号の変化に基づいてアンテナ露出部９７の長さに起因する物理量としての利得を検出するステップと、検出された物理量に基づいてアンテナ露出部９７の長さを推定するステップと、推定されたアンテナ露出部９７の長さに応じて１又は複数の機能における所定の機能を制御するステップと、を含む機能制御方法が含まれている。
【０１０７】
なお、図４、図５及び図６において、アンテナ収容部９５の内壁に導電性の物質を用いることによって、図５において示したときのようなアンテナ部９０が途中まで伸びる状態を検出部２１０が検出することを可能とする構成としてもよい。なお、アンテナ部９０は、ラジオのＦＭアンテナのように、収容時に筐体外側に沿って折り畳まれ、使用されるときに伸ばされるようなアンテナであってもよい。
【図面の簡単な説明】
【０１０８】
【図１】携帯電話機１を開いた状態における外観斜視図を示す。
【図２】操作部側筐体２に内蔵される部材の分解斜視図である。
【図３】表示部側筐体３に内蔵される部材の分解斜視図である。
【図４】アンテナ部９０が操作部側筐体２内に収容配置されてアンテナ露出部９７が最も短い状態を説明する図である。
【図５】アンテナ部９０が操作部側筐体２外に引き出されている状態を説明する図である。
【図６】アンテナ部９０が操作部側筐体２側に引き出されてアンテナ露出部９７が最も長い状態を説明する図である。
【図７】携帯電話機１における回路構成の一部を説明するブロック図である。
【図８】アンテナ部９０を操作部側筐体２内に収容配置された状態から引き出した場合における時間−利得グラフである。
【図９】ハンドオーバーによる所定時間における利得の変化と、ユーザにより操作部側筐体２内から引き出された場合での所定時間における利得の変化とを比較する時間−利得グラフである。
【図１０】携帯電話機１の作用における第１態様を説明するためのフローチャートである。
【図１１】アンテナ部９０を引き出した場合における利得の変化を説明する時間―利得グラフである。
【図１２】アンテナ部９０を押しもどした場合における利得の変化を説明する時間―利得グラフである。
【図１３】携帯電話機１の作用における第２態様を説明するためのフローチャートである。
【図１４】異なる速度でアンテナ部９０を引き出した場合における利得の変化を説明する時間―利得グラフである。
【図１５】携帯電話機１の作用における第３態様を説明するためのフローチャートである。
【符号の説明】
【０１０９】
１          携帯電話機
２          操作部側筐体
３          表示部側筐体
９０        アンテナ部
９７        アンテナ露出部
２００      通信処理部
２１０      検出部
２２０      推定部
２３０      機能制御部
【図１】
2009159545.tif 000003
【図２】
2009159545.tif 000004
【図３】
2009159545.tif 000005
【図４】
2009159545.tif 000006
【図５】
2009159545.tif 000007
【図６】
2009159545.tif 000008
【図７】
2009159545.tif 000009
【図８】
2009159545.tif 000010
【図９】
2009159545.tif 000011
【図１０】
2009159545.tif 000012
【図１１】
2009159545.tif 000013
【図１２】
2009159545.tif 000014
【図１３】
2009159545.tif 000015
【図１４】
2009159545.tif 000016
【図１５】
2009159545.tif 000017